(57)【要約】【課題】  本発明は、横葺用屋根面において、ソーラーパネルを確実に取付ける手段を提供するとともに屋根勾配面に即応したソーラーパネルの取付け用の基礎装置を提供することを目的とする。【解決手段】  横葺屋根上に設置する基台１が平面部２と左右両側面部３と底面部４から成る台板５とこの台板の後側部に一体に構成する取付部材１８とから成り、台板の平面部に調節長孔６を設け、この調節長孔上を摺動する立体状の移動部材９の前側板１０と前記調節長孔間に螺子７，８を介装し、前記移動部材の後立板１３には係合片１１を設けて調節長孔に係合し、前記移動部材の水平板１４中央に設けた長孔１５に螺子１６，１７を螺装し、前記台板の平面部の延長線に構成した取付部材の水平板１９の上方部には締付板２２を螺子２０，２１にて螺装し、この水平板の下抑止部２３と締付板の締付部２４との間に折板屋根部の一部を嵌挿するとともに前記螺子にて緊締して成る。【選択図】    図１
2012127110.tif 000002
【特許請求の範囲】
【請求項１】
横葺屋根上に設置する基台が平面部と左右両側面部と底面部から成る台板とこの台板の後側部に一体に構成する取付部材とから成り、台板の平面部に調節長孔を設け、この調節長孔上を摺動する立体状の移動部材の前側板と前記調節長孔間に螺子を介装し、前記移動部材の後立板には係合片を設けて調節長孔に係合し、前記移動部材の水平板中央に設けた長孔に螺子を螺装し、前記台板の平面部の延長線に構成した取付部材の水平板の上方部には締付板を螺子にて螺装し、この水平板の下抑止部と締付板の締付部との間に折板屋根部の一部を嵌挿するとともに前記螺子にて緊締して成ることを特徴とする横葺屋根におけるソーラーパネル設置用基礎装置。
【発明の詳細な説明】
【技術分野】
【０００１】
本発明は、横葺屋根におけるソーラーパネル設置用基礎装置に関するものである。
【０００２】
本発明者は、屋根における雪止め部材やソーラーパネル部材などの各種部材を取付け施工するための装置を開発実施して来ているが、本発明は特に横葺屋根上にソーラーパネル設置用の部材を取付けるための基礎装置に関するものである。
【背景技術】
【０００３】
近年、ソーラーパネルを屋根面に設置することが普及しているところ、本発明者は長年屋根面における雪止め取付具を開発実施して来たことに鑑み、その技術をソーラーパネル取付け用の装置において応用せんとして開発して来たが、従来公開されている屋根用の一般的な取付装置として、次に例示されるような極めて複雑な構造のものや、また普及している折板屋根にあっては、屋根板の適所に穿孔し螺子や釘を用いて取付けているものがあるため雨水の浸入という悪影響を及ぼしていたものもある。
【先行技術文献】
【特許文献】
【０００４】
【特許文献１】実開平１−８９５２３号公報
【特許文献２】実開平６−２２４３８号公報
【特許文献３】特開２００１−１４０４１６号公報
【特許文献４】特許第３８１１４１２号公報
【発明の概要】
【発明が解決しようとする課題】
【０００５】
そこで、本発明は、折板屋根である横葺用屋根面において、ソーラーパネルを確実に取付ける手段を提供するとともに屋根勾配面に即応したソーラーパネルの取付け用の基礎装置を提供することを目的とするものである。
【課題を解決するための手段】
【０００６】
本発明は、横葺屋根上に設置する基台が平面部と左右両側面部と底面部から成る台板とこの台板の後側部に一体に構成する取付部材とから成り、台板の平面部に調節長孔を設け、この調節長孔上を摺動する立体状の移動部材の前側板と前記調節長孔間に螺子を介装し、前記移動部材の後立板には係合片を設けて調節長孔に係合し、前記移動部材の水平板中央に設けた長孔に螺子を螺装し、前記台板の平面部の延長線に構成した取付部材の水平板の上方部には締付板を螺子にて螺装し、この水平板の下抑止部と締付板の締付部との間に折板屋根部の一部を嵌挿するとともに前記螺子にて緊締して成るものである。
【発明の効果】
【０００７】
第１に、横葺屋根の折板一部に取付けるために、取付部材の水平部の先端を曲折して下抑止部を構成しているから、本基台の下抑止部を折板一部に確実に挿入し、挿入後は螺子により上方から締付板への締付けによって加圧抑止が確実になされるようになる。
【０００８】
第２に、ソーラーパネルのための架設部材は基板上の移動部材の前後摺動や移動部材上の螺子の左右調節動によって、自在に位置調整して適位置において架設部材を確実に取付けることができるようになる。
【図面の簡単な説明】
【０００９】
【図１】全体の正斜視図
【図２】全体の背斜視図
【図３】施工状態を例示した斜視図
【発明を実施するための形態】
【００１０】
いま本装置を横葺屋根の折板部分の一部に取付けるときは、基台後側部の取付部材の水平板下抑止部を折板部分の下側面部に挿入した後、上方の開口部に折板部分を配置し、その上方に締付板を位置せしめ、そこで螺子を緊締して締付板を下動する。すると、前記折板部分は締付板の下端部によって加圧締着されるようになる。
【００１１】
しかる後に、基台前側部の移動部材を前立板と後立板を介して台板の調節長孔を前後適当な位置方向に移動して螺締し、また移動部材の水平板における長孔に挿入する螺子を左右任意方向に移動した後、所定の架設部材に対し前記螺子を連結し螺締する。
【実施例】
【００１２】
１は全体が前側部と後側部に分設する基台で、この前側部には平面部２と左右両側面部３，３と底面部４，４から成る台板５を設けている。
【００１３】
６は前記台板５の平面部２に設けた調節長孔で、この調節長孔には雄螺子７を配置するが、この雄螺子は後記移動部材９の前側板１０に設けた通孔に挿通し雌螺子８を螺締する。
【００１４】
９は前記台板５上に配置する立体状に成る移動部材で、この移動部材は台板５上を摺動する前側板１０と調節長孔６に嵌挿して摺動する後側の係合片１１を有し、前記前側板には前立板１２を，前記係合片には後立板１３を設け、この前後両立板上には水平板１４を架設する。
【００１５】
１５は前記水平板１４の中央部に設けた長孔で、この長孔には雄螺子１６を挿入して直立し、雌螺子１７を螺合する。この雄螺子１６には、ソーラーパネル設置用の架設部材の一部を取付けるようになる。
【００１６】
１８は前記基台１の後側部に一体に設ける取付部材で、この取付部材は前記台板５の平面部２の延長線上に形成した水平板１９とこの水平板の上方部に雄雌螺子２０，２１を介して配置する締付板２２から成る。
【００１７】
２３は前記取付部材１８の水平板１９の先端部を曲折して形成した下抑止部で、この下抑止部の上方には前記締付板２２の締付部２４が開口部２５を置いて臨設する。この取付部材１８の水平板１９の下抑止部２３は、横葺折板ａの下側方に挿入した後、その上側方から前記螺子２０，２１によって締付板２２の締付部２４を加圧緊締するようにする。
【００１８】
２６は前記締付板２２の後端部に立設した直立板で、この直立板の内側中央部には締付板２２の後端部を前記水平板１９に連結する固着子２７を設ける。この直立板２６は兼用する雪止め具の一部となる。
【００１９】
Ａ，Ｂはソーラーパネル設置用の架設部材を示す。
【符号の説明】
【００２０】
１                        基台
２                        平面部
３，３                    左右両側面部
４，４                    底面部
５                        台板
６                        調節長孔
７                        雄螺子
８                        雌螺子
９                        移動部材
１０                      前側板
１１                      係合片
１２                      前立板
１３                      後立板
１４                      水平板
１５                      長孔
１６                      雄螺子
１７                      雌螺子
１８                      取付部材
１９                      水平板
２０                      雄螺子
２１                      雌螺子
２２                      締付板
２３                      下抑止部
２４                      締付部
２５                      開口部
２６                      直立板
２７                      固着子
Ａ，Ｂ                    架設部材
【図１】
2012127110.tif 000003
【図２】
2012127110.tif 000004
【図３】
2012127110.tif 000005